(57)【特許請求の範囲】
【請求項１】
中実状の竿本体を備え、該竿本体は、グリップ体や電動リール等の穂先竿保持具に接続保持される接続部を基端側に有し、厚さに対して幅が大きい断面扁平状の主部を先端側に有している穂先竿であって、
竿本体は、主部と接続部との間に、主部の基端部よりも幅が狭い緩衝部を有していることを特徴とする穂先竿。
【請求項２】
緩衝部は、主部の基端部の幅よりも直径が小さい断面円形に形成されている請求項１記載の穂先竿。
【請求項３】
主部の基端側には、その幅が基端側に向けて狭くなって断面形状が扁平状から円形へと移行する移行部が隣接して形成され、該移行部の基端側に緩衝部が隣接して形成されている請求項２記載の穂先竿。
【請求項４】
移行部の厚さは、主部の基端部から連続的に増加している請求項３記載の穂先竿。
【請求項５】
接続部は断面円形で径一定のストレート形状であり、緩衝部は接続部よりも小径である請求項２乃至４の何れかに記載の穂先竿。
【請求項６】
緩衝部は基端側に向けて所定の変化率で拡径し、該緩衝部の基端側には、緩衝部の変化率よりも大きな変化率で拡径する拡径部が隣接して形成され、該拡径部の基端側に接続部が隣接して形成されている請求項５記載の穂先竿。
【発明の詳細な説明】
【技術分野】
【０００１】
本発明は、繊細なアタリを捕らえる釣りに適した穂先竿に関する。
【背景技術】
【０００２】
例えばワカサギ釣りには、その繊細なアタリを捉えるために中実状の柔らかい穂先竿が用いられ、特に良好な感度を得るために上下方向の厚さが幅に対して小さい薄肉扁平状のものが用いられる。該穂先竿は、例えば丸棒を削りだして形成され、その基端部は例えば電動リール等に差し込まれる接続部とされ、接続部より先端側の領域についてはその上下がテーパ状に削り出されて断面扁平状とされる。
【０００３】
しかしながら、このようにして形成された穂先竿では、接続部に近い部分の剛性が大きくなり過ぎることが多く、そのため針に掛かった魚が取り込む途中でばれやすいという問題があった。
【先行技術文献】
【特許文献】
【０００４】
【特許文献１】特開２０１１−１８２６７０号公報
【発明の概要】
【発明が解決しようとする課題】
【０００５】
それゆえに本発明は上記従来の問題点に鑑みてなされ、針に掛かった魚がばれにくい穂先竿を提供することを課題とする。
【課題を解決するための手段】
【０００６】
本発明は上記課題を解決すべくなされたものであって、本発明に係る穂先竿は、中実状の竿本体を備え、該竿本体は、グリップ体や電動リール等の穂先竿保持具に接続保持される接続部を基端側に有し、厚さに対して幅が大きい断面扁平状の主部を先端側に有している穂先竿であって、竿本体は、主部と接続部との間に、主部の基端部よりも幅が狭い緩衝部を有していることを特徴とする。
【０００７】
該構成の穂先竿は、接続部が電動リール等に接続されて使用される。該穂先竿を使用して釣りを行うと、断面扁平状の主部によって魚のアタリを高感度に捕らえることができ、また針掛かりも良い。従って、繊細なアタリを捕らえることが必要なワカサギ釣りに適している。そして、魚が針に掛かると主部がその厚さの方向に大きく湾曲し、このように主部が湾曲した状態で魚を取り込むことになる。その際、接続部と主部との間に形成された幅の狭い緩衝部がショックアブソーバーとして機能するので、針に掛かった魚が逃げようとして暴れても、主部全体の振動を緩衝部が効果的に吸収して緩和する。
【０００８】
特に、緩衝部は、主部の基端部の幅よりも直径が小さい断面円形に形成されていることが好ましい。緩衝部が断面円形であることから、上下方向即ち主部の厚さ方向の振動のみならず左右方向即ち主部の幅方向の振動も同様に吸収緩和する。また、緩衝部が断面円形であるので緩衝部の幅が狭くてもその強度を確保しやすく、方向性の少ない振動吸収性と必要な強度確保とのバランスを容易にとることができる。
【０００９】
更に、主部の基端側には、その幅が基端側に向けて狭くなって断面形状が扁平状から円形へと移行する移行部が隣接して形成され、該移行部の基端側に緩衝部が隣接して形成されていることが好ましい。緩衝部の先端側に移行部が形成されることにより緩衝部の先端部における応力集中が抑制される。
【００１０】
また更に、移行部の厚さは、主部の基端部から連続的に増加していることが好ましい。移行部において基端側に向けて幅を徐々に狭くしていく一方で厚さについては逆に厚くしていくことにより、緩衝部の先端部における応力集中をより一層抑制することができる。
【００１１】
また、接続部は断面円形で径一定のストレート形状であり、緩衝部は接続部よりも小径であることが好ましい。接続部を断面円形で径一定のストレート形状とすることにより穂先竿保持具への接続が確実なものとなる。そして、緩衝部が接続部よりも小径となることで、緩衝部の振動吸収性が良く、接続部の強度も十分に確保できる。
【００１２】
緩衝部は基端側に向けて所定の変化率で拡径し、該緩衝部の基端側には、緩衝部の変化率よりも大きな変化率で拡径する拡径部が隣接して形成され、該拡径部の基端側に接続部が隣接して形成されていることが好ましい。緩衝部を径一定とすることもできるが所定の変化率で基端側に向けて拡径する形状とすることにより、緩衝部の振動吸収性と必要強度のバランスを容易にとることができる。そして、その緩衝部の変化率よりも大きな変化率の拡径部を介して接続部が形成されることにより、緩衝部における振動吸収性が十分に発揮されることになる。
【発明の効果】
【００１３】
以上のように、本発明に係る穂先竿にあっては、電動リール等に保持される接続部と断面扁平状の主部との間に形成された緩衝部がショックアブソーバーとして機能して魚の暴れによる振動を効果的に吸収緩和するので、針に掛かった魚がばれにくくなる。
【図面の簡単な説明】
【００１４】
【図１】本発明の一実施形態における穂先竿を使用したワカサギ釣り用のタックルの全体構成を示す正面図。
【図２】同実施形態の穂先竿の要部である竿本体であって、（ａ）は平面図、（ｂ）は正面図。
【発明を実施するための形態】
【００１５】
以下、本発明の一実施形態に係る穂先竿について図１及び図２を参酌しつつ説明する。図１に本実施形態の穂先竿を使用したワカサギ釣り用のタックルの全体構成を示している。このワカサギ釣り用のタックルは、穂先竿１と、該穂先竿１の基端部を保持するための穂先竿保持具としての電動リール２とから構成される。
【００１６】
穂先竿１は、中実状の竿本体３と、該竿本体３の先端側所定領域に間隔をあけつつ取り付けられた複数の糸ガイド４とを備えている。竿本体３は、全長に亘って中実状であって、一本の丸棒状の中実体を削り出すことにより形成されている。該竿本体３は、強化繊維としてガラス繊維を使用した繊維強化樹脂から構成され、ガラス繊維は竿本体３の軸線方向に沿っている。尚、糸ガイド４は種々の公知のものを使用できる。
【００１７】
竿本体３は、全長が数百ｍｍ例えば３００ｍｍ程度のものであるが、形状の異なる複数の領域から構成されている。即ち、竿本体３は、先端側から順に、竿本体３の主要部分を構成する主部１０と、該主部１０に隣接して形成された移行部１１と、該移行部１１に隣接して形成された緩衝部１２と、該緩衝部１２に隣接して形成された拡径部１３と、該拡径部１３に隣接して形成された接続部１４とから構成されている。
【００１８】
主部１０は、竿本体３の全長のうち大部分（例えば全長の約２／３）を占めていて竿本体３の曲がり具合である調子も主としてこの部分で決まる。該主部１０は、厚さ即ち上下方向の寸法に対して幅が大きい横断面形状を有する断面扁平状に形成されている。この主部１０の横断面形状は例えば横長の長方形状であって、その扁平度合いも大きく帯状とも言えるものである。但し、主部１０の幅は基端側に向けて徐々に広がっており、主部１０の厚さもまた基端側に向けて徐々に厚くなっている。
【００１９】
より詳細には、主部１０は、先端側の大部分を占める主要領域２０と、該主要領域２０の基端側に位置する後部領域２１とから構成される。主要領域２０は、その厚さが幅に対して極めて薄く、基端側に向けて比較的緩やかな変化率で厚くなっていく。また、主要領域２０の幅も基端側に向けて比較的緩やかな変化率で広くなっている。主要領域２０の厚さは例えば１ｍｍ以下特に０．１ｍｍ〜０．５ｍｍであり、主要領域２０の幅は例えば数ｍｍ程度特に５ｍｍ以下であって、このように主要領域２０の厚さは主要領域２０の幅の十分の一程度に過ぎない薄肉である。また、後部領域２１は、その幅については主要領域２０から連続的にその変化率と同じ変化率で基端側に向けて広がっている。その一方、後部領域２１の厚さは、主要領域２０の変化率とは異なり、それよりも大きな変化率で基端側に向かって厚くなっており、最も基端側の位置においては１ｍｍを超える。
【００２０】
尚、全ての糸ガイド４は主部１０の上面に取り付けられ、好ましくは、全ての糸ガイド４は主要領域２０に取り付けられることが好ましいが、例えば最も基端側に位置する糸ガイド４を後部領域２１に取り付けてもよい。
【００２１】
かかる主部１０に隣接した移行部１１は、断面形状が基端側に向けて徐々に変化していく部分である。即ち、主部１０の断面形状は上述のように扁平状であるのに対して緩衝部１２のそれは円形となっており、そのため移行部１１の断面形状は基端側に向けて徐々に扁平状から円形へと移行していく。より詳細には、移行部１１の幅は、基端側に向けて徐々に具体的には一定の変化率で狭くなっている。その一方、移行部１１の厚さは、基端側に向けて徐々に具体的には一定の変化率で厚くなっており、その変化率は主部１０の後部領域２１のそれと同じであって、従って、移行部１１の厚さは主部１０の後部領域２１から連続的に増加している。このように移行部１１は基端側に向けてその厚さが徐々に増加する一方でその幅が徐々に減少していくことによりその断面形状を扁平状から円形へと変化させている。尚、移行部１１の長さは例えば１０ｍｍ以下である。
【００２２】
そして、移行部１１の基端側に断面円形の緩衝部１２が形成されている。該緩衝部１２は、主部１０における振動を吸収緩和する、いわばショックアブソーバーとして機能する部分であって、主部１０の基端部の幅よりも小さい直径を有している。尚、緩衝部１２の直径は、主部１０の基端部の幅よりも小さいが、主部１０の基端部の厚さよりは大きい。また、緩衝部１２の直径は、接続部１４よりも小さい。更に、緩衝部１２は基端側に向けて所定の変化率で拡径しているが、その変化率は主部１０の後部領域２１及び移行部１１における厚さの変化率よりも小さい。緩衝部１２の直径は例えば２ｍｍ〜４ｍｍ程度であって、好ましくは接続部１４の直径の略１／２程度である。尚、緩衝部１２の長さは、移行部１１や拡径部１３のそれよりも長く、また、接続部１４のそれよりも長いが、主部１０のそれに比べるとかなり短いものであり、例えば２０ｍｍ〜３０ｍｍ程度である。
【００２３】
拡径部１３は、緩衝部１２の基端部から接続部１４の先端部まで基端側に向けて徐々に拡径していく断面円形のテーパ形状であり、その直径の変化率は緩衝部１２のそれよりも大きく、竿本体３のうち最も大きな変化率で増加している。尚、拡径部１３の長さは、移行部１１の長さよりも長く、接続部１４の長さよりも短く、例えば１０ｍｍ程度である。
【００２４】
接続部１４は、竿本体３の基端部を構成していて、電動リール２に差し込まれて接続され、保持される。該接続部１４は断面円形で径一定のストレート形状であって、その直径は例えば５ｍｍ程度であり、その長さは電動リール２等の穂先竿保持具が保持できる程度の長さであって例えば２０ｍｍ程度である。
【００２５】
電動リール２は、小型軽量のもので、乾電池で駆動できる。該電動リール２の前端部下部領域に、前側に開口する竿接続口部２ａが形成されている。該竿接続口部２ａは筒状であって、該竿接続口部２ａの内側に穂先竿１の接続部１４が差し込まれて保持される。
【００２６】
以上のように構成された穂先竿１及びそれを使用したワカサギ釣り用のタックルにあっては、長さや硬さ等が異なる種々の穂先竿１の中から釣り場の深さ等の各種条件に合ったものを選択し、それを電動リール２に接続して使用することができる。そして、主部１０が断面扁平状であって先端部が特に薄くなっているので繊細なアタリを確実に捕らえることができ、また針掛かりも良い。その後、電動リール２を操作して糸を巻き上げて来る際、針に掛かった魚が逃げようとして大きく暴れるが、穂先竿１の基端側に緩衝部１２が形成されているので、大きく曲がった主部１０の上下等の振動を緩衝部１２が効果的に吸収し緩和する。従って、特に巻き上げる際に針から外れてばれやすい魚を確実に釣り上げることができる。全長が短い竿の場合、巻き上げ途中において魚がばれやすく、特に魚を水中から引き上げる際にばれやすいが、主部１０の全体の振動をその基端側の緩衝部１２で吸収緩和するので、針外れの確率が低下し、釣果ＵＰにつながる。
【００２７】
特に、緩衝部１２が断面円形であるので上下方向のみならず左右方向の振動も同様に吸収緩和され、振動吸収の方向性が小さいという利点がある。また、緩衝部１２が断面円形であることからその強度を容易に確保することができ、製造や保管、釣り場での取り扱いも容易になる。
【００２８】
また、緩衝部１２は、その幅を狭くすることによって振動を吸収できるようにしているので、緩衝部１２をその厚さを薄く調整することで振動を吸収できるようにした場合に比して強度を確保しやすいという利点があり、同時に振動吸収性の方向性も小さくなる。更に、緩衝部１２が基端側に向けて緩やかな変化率で若干拡径する形状であるので、所定の長さの緩衝部１２を形成しても、緩衝部１２の振動吸収性と必要強度のバランスを容易にとることができる。そのうえで、緩衝部１２よりも短い長さであって緩衝部１２よりも急な変化率で拡径する拡径部１３を基端側に形成することにより、緩衝部１２における振動吸収性能を確保しつつ接続部１４との間における応力集中を抑制できる。
【００２９】
更に、緩衝部１２の先端側に移行部１１が隣接して形成されているので、緩衝部１２の先端部における応力集中が抑制される。特に、移行部１１の厚さが主部１０の後部領域２１から連続的に増加しているので、応力集中をより一層抑制することができる。
【００３０】
また、接続部１４が径一定のストレート形状であるので、電動リール２の穂先竿保持具に確実に接続することができ、他の穂先竿保持具にも容易に接続できる。そして、接続部１４が緩衝部１２よりも大径であるので接続部１４の強度が十分に確保でき、耐久性にも優れる。
【００３１】
尚、本実施形態では、主部１０の断面形状を横長の長方形状としたが、例えば横長の楕円形状としてもよい。
【００３２】
また、主部１０を先端側の主要領域２０と基端側の後部領域２１とから構成したが、後部領域２１を設けずに主部１０の厚さを全体に亘って一定の変化率として形成してもよい。更に、主部１０から緩衝部１２を含む領域を、厚さあるいは直径が一定の変化率で増加する形状としてもよい。
【００３３】
更に、主部１０の幅を先細りとするのではなく一定としてもよい。
【００３４】
また更に、緩衝部１２を断面円形としたが、断面横長楕円形とするなど、主部１０と同様に断面扁平状としてもよい。
【００３５】
また、上記実施形態では、竿本体３の強化繊維としてガラス繊維を使用したが、カーボン繊維等を使用してもよい。また、複数の強化繊維を混合して使用してもよく、例えば、ガラス繊維を主としてカーボン繊維を少量あるいは一定の割合で混合させてもよい。また更に、強化繊維を使用せずに、樹脂や金属から全体あるいは部分を構成してもよい。尚、丸棒状の中実体から加工して竿本体３を形成する他、例えば、複数の板状あるいはシート状の部材を積層し張り合わせた後に加工して竿本体３を形成してもよく、ガラス繊維やカーボン繊維等の強化繊維に合成樹脂を含浸させて板状あるいはシート状に形成した部材を使用できる。
【００３６】
更に、穂先竿保持具としては、上述の電動リール２の他、リールを装着するためのリールシートを備えたグリップ体であってもよく、また元竿であってもよい。
【００３７】
更に、穂先竿保持具に着脱可能に接続される構成の他、穂先竿保持具に取り外し不能に取り付けられた構成であってもよい。
【符号の説明】
【００３８】
１    穂先竿
２    電動リール（穂先竿保持具）
２ａ  竿接続口部
３    竿本体
４    糸ガイド
１０    主部
１１    移行部
１２    緩衝部
１３    拡径部
１４    接続部
２０    主要領域
２１    後部領域
【図１】
0005797105.tif 000002
【図２】
0005797105.tif 000003